(57)【要約】【課題】仕切手段の厚さ寸法を大きくしても、集積紙葉類（紙幣）の押込動作時において収納紙葉類を確実に押さえることができるようにする。【解決手段】セパレータ機構４２は、金庫本体３２内に第１のシャフト５６を介して回動自在に設けられ、集積部３９内に集積される紙幣を支持し、プッシャ４６の押込動作に基づいて押込方向に回動する支持プレート５３と、この支持プレート５３を支持する第１のシャフト５６に回動自在に取付けられ、バックアッププレート４８により押し付けられる紙幣を押さえる押え部材５４とを有し、押え部材５４はプッシャ４６の押込動作に基づいて支持プレート５３と時間差を有して回動され、押込まれる集積紙幣Ｐ１が収納紙幣Ｐ２に接触するまで収納紙幣Ｐ２を押さえる。【選択図】      図３
2005025267.tif 000002
【特許請求の範囲】
【請求項１】
紙葉類を集積させる集積部とこの集積部に集積された紙葉類を収納させる収納部を有する装置本体と、
前記集積部と収納部との間を仕切り、前記集積される紙葉類の少なくとも対向する二辺の端部側を支持する仕切手段と、
前記仕切手段に支持された紙葉類を押込んで前記収納部内に収納する押込手段と、
前記収納部内に収納される紙葉類を受け取り、その受取後に前記収納紙葉類を前記仕切部材に押し付けるバックアップ手段と、
このバックアップ手段により前記仕切手段に押し付けられた紙葉類を取り出す取出手段とを具備し、
前記仕切手段は、
前記装置本体内に支軸を介して回動自在に設けられ、前記集積部内に集積される紙葉類を支持し、前記押込手段の押込動作に基づいて回動する支持部材と、
この支持部材を支持する前記支軸に回動自在に取付けられ、前記バックアップ手段により押し付けられる紙葉類を押さえる押え部材と
を有し、
前記押え部材は前記押込手段の押込動作に基づいて回動され、押込まれる集積紙葉類が収納紙葉類に接触するまで収納紙葉類を押さえることを特徴とする紙葉類収納装置。
【請求項２】
前記押え部材は前記支軸に回動自在に支持されるフレーム部と、このフレーム部の回動端部側にシャフトを介して回転自在に取り付けられるローラ部を有して構成され、前記ローラ部により前記収納部内の収納紙葉類を押さえることを特徴とする請求項１記載の紙葉類収納装置。
【請求項３】
少なくとも紙幣が挿入されることにより、乗車券を発行し、前記挿入された紙幣を金庫に収納させる自動券売機において、
前記金庫は、
集積させる集積部とこの集積部に集積された紙幣を収納させる収納部を有する金庫本体と、
前記集積部と収納部との間を仕切り、前記集積される紙幣の対向する二辺の端部側を支持する仕切手段と、
前記仕切手段に支持された紙幣を押込んで前記収納部内に収納する押込手段と、
前記収納部内に収納される紙幣を受け取り、その受取後に前記収納紙幣を前記仕切部材に押し付けるバックアップ手段と、
このバックアップ手段により前記仕切手段に押し付けられた紙幣を取り出す取出手段とを具備し、
前記仕切手段は、
前記金庫本体内に支軸を介して回動自在に設けられ、前記集積部内に集積される紙幣を支持し、前記押込手段の押込動作に基づいて回動する支持部材と、
この支持部材を支持する前記支軸に回動自在に取付けられ、前記バックアップ手段により押し付けられる紙幣を押さえる押え部材と
を有し、
前記押え部材は前記押込手段の押込動作に基づいて回動され、押込まれる集積紙幣が収納紙幣に接触するまで収納紙幣を押さえることを特徴とする自動券売機。
【請求項４】
前記押え部材は前記支軸に回動自在に支持されるフレーム部と、このフレーム部の回動端部側にシャフトを介して回転自在に取り付けられるローラ部を有して構成され、前記ローラ部により前記収納部内の収納紙幣を押さえることを特徴とする請求項３記載の自動券売機。
【発明の詳細な説明】
【０００１】
【発明の属する技術分野】
本発明は、駅等に設置されて乗車券や定期券等を発行する自動券売機及びこの自動券売機内で金庫等として用いられる紙葉類収納装置に関する。
【０００２】
【従来の技術】
この種の自動券売機では、利用者によって例えば、紙幣が挿入されて所望の操作が行われることにより、乗車券や定期券等を発行するが、挿入された紙幣はその金種の応じて金庫内に収納されるようになっている。
また、金庫内に収納された紙幣は釣り銭用の紙幣として取出ローラの回転により取り出されて利用される。
【０００３】
金庫はその内部がセパレータにより集積部と収納部とに仕切られ、集積部内に挿入される紙幣はその両側部がセパレータにより支持されて集積される。
【０００４】
集積部内には集積された集積紙幣を収納部内に押込むためのプッシャが上下動自在に設けられ、収納部内には押込まれてくる紙幣を受けるためのバックアッププレートが設けられている。このバックアッププレートは付勢部材によってセパレータ方向に移動するように弾性的に付勢されている。
【０００５】
集積部内に集積された紙幣を収納部内に収納する場合には、プッシャが下降されて集積部内の集積紙幣を押し下げ、その両側部がセパレータを充分超える位置まで移動させる。このとき、収納部内の収納紙幣は、押込まれる集積紙幣の下面により押し下げられる。集積紙幣が収納部内に押込まれたのちは、プッシャが上昇される。この上昇により、バックアッププレートが付勢部材の付勢力により上昇されて収納紙幣の上面部がセパレータの下面に当接して保持され、収納を終える。
【０００６】
しかしながら、従来においては、セパレータを固定的に設けていたため、集積紙幣の押込み動作時における集積紙幣の変形量が大きく、例えば、９０度近く曲げられてしまう。このため、押込負荷が増えると共に、紙幣の端面が不揃いの原因ともなり、場合によっては、紙幣の折れや立ち上がりの不具合が発生する。
そこで、セパレータを可倒式にして、プッシャの押込時における負荷を軽減する構造のものが開発されている。
【発明が解決しようとする課題】
しかしながら、セパレ一夕を単に可倒式にするだけでは、集積部と収納部との間に距離が近いと問題ないが、距離が大きくなると、集積紙幣の押込み動作中に集積紙幣が収納紙幣の上面に触れる前に、セパレータが収納紙幣を押さえることができなくなり、収納紙幣が上に上がってしまいジャム等の問題が発生する。
【０００７】
このため、セパレータの厚さ寸法を大きくすることができず、紙葉類の取出ローラの径を大きくすることができないものとなっていた。
【０００８】
取出ローラの径を大きくできないと、部品誤差、組立て誤差の影響が大きくなり、紙幣に対する接触状態が不安定化し、紙幣の取出動作が安定しなくなる。
【０００９】
本発明は上記事情に着目してなされたもので、仕切手段の厚さ寸法を大きくしても、集積紙葉類（紙幣）の押込動作時において収納紙葉類を確実に押さえることができるようにした紙葉類収納装置及び自動券売機を提供することを目的とする。
【００１０】
【課題を解決するための手段】
上記課題を解決するため、請求項１記載のものは、内部に紙葉類を集積させる集積部とこの集積部に集積された紙葉類を収納させる収納部を有する装置本体と、前記集積部と収納部との間を仕切り、前記集積される紙葉類の少なくとも対向する二辺の端部側を支持する仕切手段と、前記仕切手段に支持された紙葉類を押込んで前記収納部内に収納する押込手段と、前記収納部内に収納される紙葉類を受け取り、その受取後に前記収納紙葉類を前記仕切部材に押し付けるバックアップ手段と、このバックアップ手段により前記仕切手段に押し付けられた紙葉類を取り出す取出手段とを具備し、前記仕切手段は、前記装置本体内に支軸を介して回動自在に設けられ、前記集積部内に集積される紙葉類を支持し、前記押込手段の押込動作に基づいて回動する支持部材と、この支持部材を支持する前記支軸に回動自在に取付けられ、前記バックアップ手段により押し付けられる紙葉類を押さえる押え部材とを有し、前記押え部材は前記押込手段の押込動作に基づいて回動され、押込まれる集積紙葉類が収納紙葉類に接触するまで収納紙葉類を押さえる。
【００１１】
請求項３記載のものは、少なくとも紙幣が挿入されることにより、乗車券を発行し、前記挿入された紙幣を金庫に収納させる自動券売機において、前記金庫は、集積させる集積部とこの集積部に集積された紙幣を収納させる収納部を有する金庫本体と、前記集積部と収納部との間を仕切り、前記集積される紙幣の対向する二辺の端部側を支持する仕切手段と、前記仕切手段に支持された紙幣を押込んで前記収納部内に収納する押込手段と、前記収納部内に収納される紙幣を受け取り、その受取後に前記収納紙幣を前記仕切部材に押し付けるバックアップ手段と、このバックアップ手段により前記仕切手段に押し付けられた紙幣を取り出す取出手段とを具備し、前記仕切手段は、前記金庫本体内に支軸を介して回動自在に設けられ、前記集積部内に集積される紙幣を支持し、前記押込手段の押込動作に基づいて回動する支持部材と、この支持部材を支持する前記支軸に回動自在に取付けられ、前記バックアップ手段により押し付けられる紙幣を押さえる押え部材とを有し、前記押え部材は前記押込手段の押込動作に基づいて回動され、押込まれる集積紙幣が収納紙幣に接触するまで収納紙幣を押さえる。
【００１２】
【発明の実施の形態】
以下、本発明を図面に示す実施の形態を参照して詳細に説明する。
図１は紙葉類処理装置としての自動券売機を示すものである。
この自動券売機は、駅等に設置され、購入希望者の操作および料金投入に従い、乗車券（切符、定期券など）を発行するものである。
【００１３】
上記自動券売機の前面には、固定の案内を表示する固定案内表示部１と上部、下部の２つの接客部２、３が設けられている。
上部の接客部２には、種々の案内を表示したりするタッチパネル内蔵のカラー液晶表示部（ＬＣＤ）によって構成される表示部（接客パネル、液晶タッチパネル）（表示入力手段）４、係員を呼び出す呼び出しボタン５、券を複数枚購入する際に投入する複数枚購入ボタン６が設けられている。
【００１４】
表示部４は、投入金額表示部４ａと料金釦表示部４ｂとにより構成されている。
下部の接客部３には、プリペイドカード（ＳＦカード、ストアードフェアカード、前払いカード）、定期券が挿入されるとともに挿入されたプリペイドカード、定期券が排出されるカード挿入／排出口７、発行される新規のきっぷ等の乗車券が発行される乗車券発行口８、使用可能な紙葉類としての紙幣を表示する使用可能紙幣表示部９、紙幣を挿入する紙幣挿入口１０、紙幣が排出される紙幣排出口１１、硬貨が投入される硬貨投入口１２、及びテンキー部１３が設けられている。また、上記テンキー部１３の裏側には、釣銭放出口（図示しない）が有り、この釣銭放出口からの釣銭は受け皿（図示しない）に放出されるようになっている。
【００１５】
図２は、上記した自動券売機内に設けられる紙幣自動受払装置１５を概略的に示すものである。
紙幣自動受払装置１５は上記した紙幣挿入口１０から挿入される紙幣を取込んで後述するように処理したのち紙幣排出口１１から紙幣を返却したり釣り銭として排出するものである。
【００１６】
紙幣自動受払装置１５はその内部に紙幣挿入口１０から挿入される紙幣を搬送する搬送路（実線で示す）１６が設けられている。この搬送路１６中には紙幣の搬送方向に沿って順次、搬送ローラ１７、反転用ローラ１８、鑑査部１９、千円用の一次保留部２０、五千円用の一次保留部２１、一万円用の一次保留部２２が配設されている。各一次保留部２０〜２２には、紙幣を取込む取込部２０ａ〜２２ａと、一次保留した紙幣を送り出す送出部２０ｂ〜２２ｂが設けられている。
【００１７】
また、紙幣自動受払装置１５の内部には、千円用の金庫２４、五千円用の金庫２５、一万円用の金庫２６が配設されている。各金庫２４〜２６には、紙幣の挿入口２４ａ〜２６ａ及び排出口２４ｂ〜２６ｂがそれぞれ設けられている。
【００１８】
各一次保留部２０〜２２の送出部２０ｂ〜２２ｂと各金庫２４〜２６の挿入口２４ａ〜２６ａとは接続路２８〜３０を介して接続され、各一次保留部２０〜２２に保留された紙幣は接続路２８〜３０を介して各金庫２４〜２６に送込まれるようになっている。
【００１９】
また、各金庫２４〜２６の排出口２４ｂ〜２６ｂから排出される紙幣は排出路（破線で示す）３１を介して紙幣自動受払装置１５の紙幣排出口１１に排出される。
なお、図２においては、鑑査部１９以降の搬送路１６と搬送路３１とは別の構成となっているが、これらを共通の一つの搬送路とすることも可能である。これにより紙幣自動受払装置１５の構成を簡略化することができ、小型化を図ることができる。
【００２０】
図３は金庫を示す側断面図で、図４はその正断面図である。
各金庫２４〜２６は略同様に構成されるため、金庫２４を代表して説明する。
金庫２４は金庫本体３２を有し、この金庫本体３２の一側上部側には上記した紙幣の挿入口２４ａと排出口２４ｂとが設けられている。金庫本体３２内には、挿入口２４ａに近接して取込ローラ３５が設けられ、排出口２４ｂに近接して取出手段としての取出ローラ対３６が設けられている。
【００２１】
金庫本体３２内の上部側には金庫本体３２内を集積部３９と収納部４０とに仕切るセパレータ手段としてのセパレータ機構４２が設けられている。このセパレータ機構４２は一対のセパレータ部４３，４４を有して構成され，この一対のセパレータ部４３，４４は金庫本体３２の内壁部に回動自在に取付けられ、互いに離間対向している。
【００２２】
集積部３９内には集積された紙幣を収納部４０内に押込むための押込手段としてのプッシャ４６が上下動自在に設けられている。
収納部４０内には紙幣を受けるバックアップ手段としてのバックアッププレート４８が設けられている。このバックアッププレート４８はその後端側がガイドシャフト５０によって上下動自在に支持され、前端部側がスプリング５１によって上方へ弾性的に付勢されている。この付勢によりバックアッププレート４８上の紙幣の上面部が上記した一対のセパレータ部４３，４４に押し付けられるようになっている。
【００２３】
図５はセパレータ部４３（４４）を示す斜視図で、図６はその分解斜視図である。
【００２４】
セパレータ部４３（４４）は集積される紙幣の少なくとも対向する２辺の端部側を支持する支持部材としての支持プレート５３を有している。支持プレート５３はその両端部に軸受部５３ａを有し、この軸受部５３ａに第１のシャフト５６の両端部が挿入されている。支持プレート５３は、第１のシャフト５６を介して後述するように金庫本体３２の内壁面部に回動自在に取付けられる。
【００２５】
第１のシャフト５６には収納紙幣を押さえる押え部材５４を構成するフレーム部５８の一端部側が回動自在に取付けられ、その回動端部側には第２のシャフト５９を介して回転自在にローラ部６０が取付けられている。なお、ローラ部は軸方向に長いものを１個用いるものであっても良いが、ローラ部を複数個に分割し、あるいは部分的にローラ部を使用するものであって良い。
【００２６】
フレーム部５８には第１のシャフト５６の両端部を挿入させる第１の挿入口５８ａ，第２のシャフト５９の両端部を挿入させる第２の挿入口５８ｂが形成されている。
なお、支持プレート５３及び押え部材５４のローラ部６０は摩擦が小さい方が良いため、ＰＯＭ、ＰＣ、ＰＰ、ＡＢＳ等の樹脂材によって成形するのが望ましい。
【００２７】
また、第１及び第２のシャフト５６，５９は剛性と形状を保つ目的もあるため、金属製、例えば、ステンレス、鉄、鋼製が望ましい。ただし強度が充分であれば、樹脂でもかまわない。例えば、樹脂にガラス、カーボン、もしくはフィラー等を混ぜて強度を高めたものでも良い。
【００２８】
図７は、金庫本体３２の両内壁面に形成される取付口６２と円弧状のガイド孔６３を示すものである。
取付口６２には上記した第１のシャフト５６の端部が挿入されて支持され、円弧状のガイド孔６３には第２のシャフト５９の端部が挿入されてセパレータ部４３（４４）が取付けられる。第２のシャフト５９は円弧状のガイド孔６３内で移動される。
【００２９】
図８はセパレータ部４３（４４）の動作を示すものである。
セパレータ部４３（４４）の支持プレート５３は図示しないスプリングにより上方に付勢されて回動しストッパに当接することにより図８（ａ）に示すように水平状態で待機位置に保持されるようになっている。
【００３０】
また、押え部材５４のフレーム部５８は図示しないスプリングにより上方に付勢されて回動しその第２のシャフト５９の端部が図７に実線で示すようにガイド孔６３の一端側の内壁面に当接することにより支持プレート５３に対し略４５度下方に傾斜する状態で保持されている。
【００３１】
支持プレート５３はプッシャ４６により集積紙幣を介して押込まれるのに基づいて図８（ｂ）に示すように下方に回動されるが、この間、押え部材５４のフレーム部５８は回動することなくがローラ部６０により収納紙幣の上面部を押さえている。
【００３２】
この状態からさらに、支持プレート５３がプッシャ４６により押込まれて回動し、集積紙幣が収納紙幣に接触すると、図８（ｃ）に示すように支持プレート５３により押え部材５４のフレーム部５８が押し下げられて下方に回動するようになっている。
【００３３】
図９は集積部３９から収納部４０への紙幣の押込動作を示すものである。
まず、図９（ａ）に示すようにプッシャ４６が下降し、集積紙幣Ｐ１の上面部に接触したのち、図９（ｂ）に示すように集積紙幣Ｐ１を押し下げる。これにより、支持プレート５３が下方に回動するが、この間、押え部材５４のフレーム部５８は下方に回動することなく、そのローラ部６０によって収納部４０内の収納紙幣Ｐ２の上面を押し付けている。この状態から図９（ｃ）に示すように、さらにプッシャ４６が下降することで、支持プレート５３が下方に回動され、この回動に基づいて押え部材５４のフレーム部５８も押し下げられて下方に回動する。このとき、フレーム部５８のローラ部６０は収納紙幣Ｐ２の上面部に沿って回転しながら移動し、集積紙幣Ｐ１の下面部が収納紙幣Ｐ２の上面部に接触するまで収納紙幣Ｐ２を押さえる。
【００３４】
この状態から図９（ｄ）に示すように、さらにプッシャ４６が下降して収納部４０に移動することにより集積紙幣Ｐ１が収納部４０内に押し込められる。このときバックアッププレート４８はスプリング５１の付勢力に抗して下方へ下降され、また、セパレータ部４３（４４）の支持プレート５３及び押え部材５４のローラ部６０は初期位置に復帰し待機する。この後、プッシャ４６は図９（ｅ）に示すように、上方に移動されて集積部３９側へ戻る。これにより、バックアッププレート４８はスプリング５１の付勢力により上昇し、収納紙幣Ｐ２の上面部を押え部材５４のローラ部６０に当接させて紙幣の収納を終える。
【００３５】
上記したように、セパレータ部４３（４４）を集積紙幣Ｐ１を支持する支持プレート５３と収納紙幣を押させる押え部材５４とによって構成し、集積紙幣Ｐ１の押込動作時には、支持プレート５３が回動したのち、時間差を有して押え部材５４を回動させるため、セパレータ部４３（４４）の厚さ寸法を大きくしても、集積紙幣が収納紙幣に接触するまで収納紙幣を押させることができ、ジャムなどを発生させることがない。
【００３６】
従って、集積部３９と収納部４０の距離を大きく取ることが可能となり、紙幣払出用のローラ部３６の径を大きくすることが出来る。
ローラ部３６の径が大きくなることによって、部品誤差、組立て誤差の影響が減ると共に、紙幣への接触状態が安定するので、紙幣の取出動作の安定性が向上し、製品としての信頼性が向上する
また、押え部材５４の回動時にはそのローラ部６０が収納紙幣Ｐ２の上面部に沿って回転しながら移動するため、収納紙幣Ｐ２を横に動かす力が発生しにくく、ばらつきを発生させないと共に、動作の摩擦抵抗が少ないので負荷の増大を抑えることが出来る。
【００３７】
なお、本発明は上記一実施の形態に限られることなく、その要旨の範囲内で種々実施可能なことは勿論である。
【００３８】
【発明の効果】
以上説明したように、本発明によれば、仕切手段の厚さ寸法を大きくしても、紙葉類の押込動作により集積紙葉類が収納紙葉類に接触するまで仕切手段の押え部材によって収納紙葉類を確実に押さえることができる。
【００３９】
従って、仕切手段の厚さ寸法だけ、紙葉類の取出手段の径を大きくすることができ、部品誤差、組立て誤差の影響が減ると共に、紙葉類への接触状態が安定するので、紙葉類の取出動作の安定性を向上できる。
【図面の簡単な説明】
【図１】本発明の一実施の形態である自動券売機を示す外観斜視図。
【図２】同自動券売機に備えられる紙幣入出金機を示す構成図。
【図３】同紙幣入出金機に備えられる金庫装置を示す側断面図。
【図４】同紙幣入出金機に備えられる金庫装置を示す正断面図。
【図５】同金庫装置に設けられるセパレータ機構を示す斜視図。
【図６】同金庫装置に設けられるセパレータ機構を分解して示す斜視図。
【図７】同セパレータ機構を支持する金庫本体の取付口を示す図。
【図８】同セパレータ機構の動作を示す図。
【図９】同金庫装置の集積部に集積された紙葉類を収納部に押込む動作を示す図。
【符号の説明】
Ｐ１…集積紙幣（集積紙葉類）、Ｐ２…収納紙幣（収納紙葉類）、２４〜２６…金庫、３２…金庫本体（装置本体）、３７…取出ローラ（取出手段）、３９…集積部、４０…収納部、４２…セパレータ機構（仕切手段）、４６…プッシャ（押込手段）、４８…バックアッププレート（バックアップ手段）、５３…支持プレート（支持部材）、５４…押え部材、５６…第１のシャフト（支軸）、５８…フレーム部、６０…ローラ部。
【図１】
2005025267.tif 000003
【図２】
2005025267.tif 000004
【図３】
2005025267.tif 000005
【図４】
2005025267.tif 000006
【図５】
2005025267.tif 000007
【図６】
2005025267.tif 000008
【図７】
2005025267.tif 000009
【図８】
2005025267.tif 000010
【図９】
2005025267.tif 000011